(57)【要約】【課題】マルチキャリア伝送やシングルキャリア伝送において、当該変調信号の信号歪みを抑えつつ、ＰＡＰＲを低減すること。【解決手段】パルスシェーピングフィルタ部１２０は、周波数領域信号の一方の周波数サイドのコピーを多方の周波数サイドに隣接する冗長周波数帯域へ付加して信号帯域幅を広げる。ピーク抑圧用信号生成部１５０は、冗長周波数情報とサブキャリアマッピング情報とに基づいて、ピーク抑圧用信号の冗長周波数帯域成分と有効ＤＦＴ−Ｓｐｒｅａｄ−ＯＦＤＭ信号帯域成分との電力比が所定の値Ａ（Ａは任意）となるようなピーク抑圧用信号を生成する。ピーク抑圧部１６０は、時間領域におけるＤＦＴ−Ｓｐｒｅａｄ−ＯＦＤＭ信号にピーク抑圧用信号を重畳する。【選択図】図１
2008078944.tif 000002
【特許請求の範囲】
【請求項１】
周波数軸上の信号の信号帯域に冗長帯域を付加するパルスシェーピングフィルタリング手段と、
前記信号帯域および前記冗長帯域の信号を複数の周波数帯域に再配置するマッピング手段と、
再配置された信号を時間軸上の信号に変換することにより変調信号を取得する周波数−時間変換手段と、
前記冗長帯域の信号が再配置された周波数帯域ほど電力が大きいピーク抑圧用信号を生成するピーク抑圧用信号生成手段と、
前記変調信号に前記ピーク抑圧用信号を重畳するピーク抑圧手段と、
を具備する送信装置。
【請求項２】
前記周波数軸上の信号を、時間軸上の信号に対しフーリエ変換を施すことにより取得する時間−周波数変換手段、をさらに具備する
請求項１に記載の送信装置。
【請求項３】
前記ピーク抑圧用信号生成手段は、
前記信号帯域が再配置された帯域における前記ピーク抑圧用信号の電力と、前記冗長帯域が再配置された帯域における前記ピーク抑圧用信号の電力との比を所定の値とする
請求項１に記載の送信装置。
【請求項４】
前記ピーク抑圧用信号生成手段は、
前記変調信号の電力が小さい周波数帯域ほど、前記ピーク抑圧用信号の電力を大きくする
請求項１に記載の送信装置。
【請求項５】
前記ピーク抑圧用信号生成手段は、
前記変調信号の電力と、スペクトラムエミッションマスクとのマージンが大きい周波数帯域ほど、前記ピーク抑圧用信号の電力を大きくする
請求項１に記載の送信装置。
【請求項６】
伝搬状況に関する情報を取得する取得手段、をさらに具備し、
前記ピーク抑圧用信号生成手段は、
前記伝搬状況が悪い周波数帯域ほど、前記ピーク抑圧用信号の電力を大きくする
請求項１に記載の送信装置。
【請求項７】
周波数軸上の信号の信号帯域に冗長帯域を付加するステップと、
前記信号帯域および前記冗長帯域の信号を複数の周波数帯域に再配置するステップと、
再配置された信号を時間軸上の信号に変換することにより変調信号を取得するステップと、
前記冗長帯域の信号が再配置された周波数帯域ほど電力が大きいピーク抑圧用信号を生成するステップと、
前記変調信号に前記ピーク抑圧用信号を重畳するステップと、
を有するピーク抑圧方法。
【発明の詳細な説明】
【技術分野】
【０００１】
本発明は、送信装置およびピーク抑圧方法に関し、例えば、マルチキャリア伝送やシングルキャリア伝送が適用されるシステムにおいてピークを抑圧する送信装置およびピーク抑圧方法に関する。
【背景技術】
【０００２】
近年、移動体通信において、マルチキャリア伝送やシングルキャリア伝送が注目されている。特に移動局から基地局への無線アクセスにおいて、シングルキャリア伝送が注目されている。
【０００３】
ところで、移動体通信においては、消費電力が小さい方式が必要不可欠であり、電力効率の向上が要求される。そのためには、送信増幅器を効率の高い動作点で動作させる必要がある。しかしながら、送信増幅器へ入力される変調信号の変動が大きく、送信増幅器をその動作点から離れたところで動作させるほど、送信増幅器の線形性が低下し、非線形歪みが生じ、伝送特性が著しく劣化するという問題がある。
【０００４】
これらの理由から、送信増幅器へ入力される変調信号として、平均電力対ピーク電力比（ＰＡＰＲ：Peak to Average Power Ratio）が小さい変調方式ほど、電力効率の点で有利となる。このため、マルチキャリア伝送やシングルキャリア伝送において、さらにＰＡＰＲを低減する方法が各種提案されている。
【０００５】
非特許文献１では、シングルキャリア伝送であるＤＦＴ−Ｓｐｒｅａｄ−ＯＦＤＭ（Discrete Fourier Transform Spread Orthogonal Frequency Division Multiplexing）方式において、冗長な周波数帯域を用いて、周波数領域でパルスシェーピングフィルタ処理を行うことで、送信信号のＰＡＰＲを低減させる方法が開示されている。
【０００６】
さらに、ＰＡＰＲを低減する方法として、非特許文献２には、ＤＦＴ−Ｓｐｒｅａｄ−ＯＦＤＭ方式において、サブキャリアマッピング情報に基づき、ＤＦＴ−Ｓｐｒｅａｄ−ＯＦＤＭ信号の信号帯域内でピーク抑圧用信号を生成し、ＤＦＴ−Ｓｐｒｅａｄ−ＯＦＤＭ信号にピーク抑圧用信号を多重することにより、送信信号のＰＡＰＲを低減する方法が開示されている。  
【非特許文献１】3GPP, R1-050702, NTT DoCoMo, NEC, SHARP, “DFT-Spread OFDM with Pulse Shaping Filter in Frequency Domain in Evolved UTRA Uplink”
【非特許文献２】3GPP, R1-051151, Intel Corp., NTT DoCoMo, “PAPR-Reduction Performance in SC-FDMA Transmission”
【発明の開示】
【発明が解決しようとする課題】
【０００７】
しかしながら、非特許文献２に開示された技術では、ＰＡＰＲを低減することができる一方、ＤＦＴ−Ｓｐｒｅａｄ−ＯＦＤＭ信号に歪みが生じ、伝送特性が著しく劣化するという問題がある。すなわち、所望のＤＦＴ−Ｓｐｒｅａｄ−ＯＦＤＭ信号の信号帯域内にピーク抑圧用信号が重畳されて、所望のＤＦＴ−Ｓｐｒｅａｄ−ＯＦＤＭ信号の信号成分が減算されることになり、ＤＦＴ−Ｓｐｒｅａｄ−ＯＦＤＭ信号に歪みが生じ、この結果、伝送特性が著しく劣化する。
【０００８】
本発明はかかる点に鑑みてなされたものであり、マルチキャリア伝送やシングルキャリア伝送において、当該変調信号の信号歪みを抑えつつ、ＰＡＰＲを低減することができる送信装置およびピーク抑圧方法を提供すること目的とする。
【課題を解決するための手段】
【０００９】
かかる課題を解決するため、本発明に係る送信装置は、周波数軸上の信号の信号帯域に冗長帯域を付加するパルスシェーピングフィルタリング手段と、前記信号帯域および前記冗長帯域の信号を複数の周波数帯域に再配置するマッピング手段と、再配置された信号を時間軸上の信号に変換することにより変調信号を取得する周波数−時間変換手段と、前記冗長帯域の信号が再配置された周波数帯域ほど電力が大きいピーク抑圧用信号を生成するピーク抑圧用信号生成手段と、前記変調信号に前記ピーク抑圧用信号を重畳するピーク抑圧手段と、を具備する構成を採る。
【００１０】
この構成によれば、信号帯域に冗長帯域を付加することにより信号帯域が広がりＰＡＰＲを低減することができるとともに、冗長帯域が再配置された周波数帯域に、優先的にピーク抑圧用信号を重畳することができるため、変調信号の信号成分にピーク抑圧用信号の信号成分が重畳される割合が減って、信号歪みを低減することができるようになる。
【発明の効果】
【００１１】
本発明によれば、マルチキャリア伝送やシングルキャリア伝送において、当該変調信号の信号歪みを抑えつつ、ＰＡＰＲを低減することができる。
【発明を実施するための最良の形態】
【００１２】
以下、本発明の実施の形態について、図面を参照して詳細に説明する。
【００１３】
（実施の形態）
図１に、本発明の実施の形態に係る送信装置の要部構成を示す。図１に示す送信装置１００は、時間−周波数変換部１１０、パルスシェーピングフィルタ部１２０、マッピング部１３０、周波数−時間変換部１４０、ピーク抑圧用信号生成部１５０、ピーク抑圧部１６０、無線処理部１７０を備えている。
【００１４】
さらに、時間−周波数変換部１１０は、Ｓ／Ｐ（Serial to Parallel）変換部１１１、ＤＦＴ（Discrete Fourier Transform）部１１２を備え、マッピング部１３０は、サブキャリアマッピング制御部１３１、サブキャリアマッピング部１３２を備え、周波数−時間変換部１４０は、ＩＦＦＴ（Inverse Fast Fourier Transform）部１４１、Ｐ／Ｓ（Parallel to Serial）変換部１４２を備え、無線処理部１７０は、ＣＰ（Cyclic Prefix：サイクリックプレフィックス）付加部１７１、ＴｉｍｅＷｉｎｄｏｗｉｎｇ処理部１７２、無線送信部１７３を備えている。
【００１５】
Ｓ／Ｐ変換部１１１は、時間領域の一次変調信号が入力されると、一次変調信号を直並列変換し、直並列変換後の一次変調信号をＤＦＴ部１１２に出力する。ＤＦＴ部１１２は、直並列変換された一次変調信号に対し離散フーリエ変換を施し、得られた周波数領域信号をパルスシェーピングフィルタ部１２０に出力する。
【００１６】
パルスシェーピングフィルタ部１２０は、周波数領域信号をフィルタリングする。具体的には、例えば、図２に示すように離散フーリエ変換後の周波数領域信号の信号帯域幅をＮＴＸとすると、パルスシェーピングフィルタ部１２０は、フィルタリング後の周波数領域信号の信号帯域幅がＮＴＸ（１＋α）となるように、周波数領域信号の一方の周波数サイドのコピーを多方の周波数サイドに隣接する冗長周波数帯域へ付加して信号帯域幅を広げる。なお、図２中のαはパルスシェーピングフィルタ部１２０に用いられるフィルタのロールオフ率で、冗長周波数帯域はロールオフ率αによって変動する。なお、パルスシェーピングフィルタ部１２０に用いられるロールオフフィルタは特に限定されない。
【００１７】
さらに、パルスシェーピングフィルタ部１２０は、フィルタリング後の周波数領域信号をサブキャリアマッピング部１３２に出力するとともに、冗長周波数情報をピーク抑圧用信号生成部１５０に出力する。
【００１８】
サブキャリアマッピング制御部１３１は、サブキャリアマッピング制御情報を、サブキャリアマッピング部１３２に出力する。サブキャリアマッピング部１３２は、サブキャリアマッピング制御情報に基づき、周波数領域信号を複数のサブキャリアにマッピングし、マッピング後の周波数領域信号をＩＦＦＴ部１４１に出力するとともに、サブキャリアマッピング情報をピーク抑圧用信号生成部１５０に出力する。ＩＦＦＴ部１４１は、サブキャリアマッピング部１３２によって周波数領域信号がマッピングされたサブキャリア以外のサブキャリアには０をマッピングして、周波数領域信号と０とがマッピングされた周波数領域信号に対し、逆高速フーリエ変換を施し、得られた時間領域信号を、Ｐ／Ｓ変換部１４２に出力する。Ｐ／Ｓ変換部１４２は、時間領域信号を並直列変換し、ＤＦＴ−Ｓｐｒｅａｄ−ＯＦＤＭ信号を取得し、ＤＦＴ−Ｓｐｒｅａｄ−ＯＦＤＭ信号をピーク抑圧部１６０に出力する。
【００１９】
ピーク抑圧用信号生成部１５０は、冗長周波数情報とサブキャリアマッピング情報とに基づき、ピーク抑圧用信号を生成し、ピーク抑圧部１６０に出力する。なお、ピーク抑圧用信号の具体的な生成方法については、後述する。
【００２０】
ピーク抑圧部１６０は、時間領域におけるＤＦＴ−Ｓｐｒｅａｄ−ＯＦＤＭ信号にピーク抑圧用信号を重畳し、重畳後の時間領域におけるＤＦＴ−Ｓｐｒｅａｄ−ＯＦＤＭ信号を、ＣＰ付加部１７１に出力する。
【００２１】
ＣＰ付加部１７１は、重畳後の時間領域におけるＤＦＴ−Ｓｐｒｅａｄ−ＯＦＤＭ信号にサイクリックプレフィクスを付加し、ＴｉｍｅＷｉｎｄｏｗｉｎｇ処理部１７２に出力する。ＴｉｍｅＷｉｎｄｏｗｉｎｇ処理部１７２は、サイクリックプレフィクス付加後の時間領域におけるＤＦＴ−Ｓｐｒｅａｄ−ＯＦＤＭ信号に対しタイムウィンドウィング処理を施し、タイムウィンドウィング処理後のＤＦＴ−Ｓｐｒｅａｄ−ＯＦＤＭ信号を無線送信部１７３に出力する。無線送信部１７３は、タイムウィンドウィング処理後のＤＦＴ−Ｓｐｒｅａｄ−ＯＦＤＭ信号に対しアップコンバート等の無線処理を施し、アンテナを介し信号を送信する。
【００２２】
次いで、上記のように構成された送信装置１００によるピーク抑圧の動作について図３に示す周波数特性図を参照しながら説明する。
【００２３】
まず、Ｓ／Ｐ変換部１１１によって、一次変調信号に対し直並列変換が施され、ＤＦＴ部１１２によって、直並列変換後の一次変調信号に対し、離散フーリエ変換が施される。図３（ａ）に、離散フーリエ変換後の周波数領域信号の周波数特性を示す。
【００２４】
離散フーリエ変換後の周波数領域信号は、パルスシェーピングフィルタ部１２０によって、周波数領域信号の一方の周波数サイドのコピーが多方の周波数サイドに隣接する冗長周波数帯域へ付加される。図３（ｂ）に、フィルタリング後の周波数領域信号の周波数特性を示す。
【００２５】
そして、フィルタリング後の周波数領域信号は、サブキャリアマッピング制御部１３１から出力されるサブキャリアマッピング制御情報に基づいて、複数のサブキャリアにマッピングされる。図３（ｃ）に、マッピング後の周波数領域信号の周波数特性を示す。
【００２６】
そして、マッピング後の周波数領域信号はＩＦＦＴ部１４１によって、サブキャリアマッピング部１３２によって周波数領域信号がマッピングされたサブキャリア以外のサブキャリアには０がマッピングされて、周波数領域信号と０とがマッピングされた周波数領域信号に対し、逆高速フーリエ変換が施され、時間領域信号に変換される。
【００２７】
そして、時間領域信号は、Ｐ／Ｓ変換部１４２によって並直列変換され、ＤＦＴ−Ｓｐｒｅａｄ−ＯＦＤＭ信号が取得される。
【００２８】
ピーク抑圧用信号生成部１５０では、冗長周波数情報とサブキャリアマッピング情報とに基づいて、ピーク抑圧用信号が生成される。具体的には、ピーク抑圧用信号の冗長周波数帯域成分と有効ＤＦＴ−Ｓｐｒｅａｄ−ＯＦＤＭ信号帯域成分との電力比が所定の値Ａ（Ａは任意）となるようなピーク抑圧用信号が生成される。図３（ｄ）に、ピーク抑圧用信号の周波数特性を示す。図３（ｃ）に示したように、マッピングにより再配置された冗長周波数帯域には、ＤＦＴ−Ｓｐｒｅａｄ−ＯＦＤＭ信号の周波数成分の電力が小さい。すなわち、マッピング後の冗長周波数帯域にピーク抑圧用信号を優先的に付加するようにすれば、所望のＤＦＴ−Ｓｐｒｅａｄ−ＯＦＤＭ信号の成分が抑圧されて歪みが生じる可能性が少なくなる。
【００２９】
このようにして得られたピーク抑圧用信号は、ピーク抑圧部１６０によって、ピーク抑圧用信号のピークと時間領域におけるＤＦＴ−Ｓｐｒｅａｄ−ＯＦＤＭ信号のピークとが一致するように重畳される。図３（ｅ）に、ピーク抑圧用信号が重畳された後のＤＦＴ−Ｓｐｒｅａｄ−ＯＦＤＭ信号の周波数特性を示す。
【００３０】
そして、ＣＰ付加部１７１によって、ピーク抑圧用信号が重畳された後の時間領域におけるＤＦＴ−Ｓｐｒｅａｄ−ＯＦＤＭ信号にサイクリックプレフィクスが付加され、ＴｉｍｅＷｉｎｄｏｗｉｎｇ処理部１７２によって、サイクリックプレフィクス付加後の時間領域におけるＤＦＴ−Ｓｐｒｅａｄ−ＯＦＤＭ信号に対しタイムウィンドウィング処理が施される。そして、無線送信部１７３によって、タイムウィンドウィング処理後のＤＦＴ−Ｓｐｒｅａｄ−ＯＦＤＭ信号に対し、アップコンバート等の無線処理が施され、アンテナを介して送信される。
【００３１】
以上のように、本実施の形態によれば、周波数軸上の信号周波数帯域に対し、冗長周波数帯域を付加し、冗長周波数帯域付加後の周波数軸上の信号を複数の周波数帯域に再配置し、再配置後の信号を時間軸上の信号に変換することにより変調信号を取得するようにし、冗長周波数帯域に関する情報と一次変調信号が割り当てられたサブキャリアに関する情報から、ピーク抑圧用信号の冗長周波数帯域成分と有効信号周波数帯域成分との電力比が所定の値Ａ（Ａは任意）となるようなピーク抑圧用信号が生成されるようにしたので、ピーク抑圧用信号は冗長周波数帯域に優先的に重畳されるようになり、所望の変調信号の成分が抑圧される割合を減少し、信号歪みを小さくしつつ、ピーク電力を抑圧することができる。
【００３２】
上述した実施の形態では、時間−周波数変換部１１０が、時間軸上の一次変調信号を離散フーリエ変換することにより周波数軸上の信号に変換し、当該周波数軸上の信号をマッピング部１３０によって複数の周波数帯域に再配置して、ＤＦＴ−Ｓｐｒｅａｄ−ＯＦＤＭ信号を生成し、当該ＤＦＴ−Ｓｐｒｅａｄ−ＯＦＤＭ信号に対するピーク抑圧用信号を生成する場合について説明したが、時間−周波数変換部１１０が、複数の時間軸上の一次変調信号を直接複数のサブキャリアに割り当てて周波数軸上の信号に変換し、当該周波数軸上の信号をマッピング部１３０によって複数の周波数帯域に再配置して、ＯＦＤＭ信号を生成し、当該ＯＦＤＭ信号に対するピーク抑圧用信号を生成するようにしてもよい。
【００３３】
また、上述した実施の形態では、所望の信号の信号周波数帯域が再配置された帯域におけるピーク抑圧用信号の電力と、冗長周波数帯域が再配置された帯域におけるピーク抑圧用信号の電力との比が所定の値となるようなピーク抑圧用信号を生成する場合について述べたが、図４に示すように、ピーク抑圧用信号生成部１５０が、所望の信号の信号周波数帯域が再配置された帯域における変調信号の電力が小さい周波数帯域ほど、ピーク抑圧用信号の電力が大きくなるようにピーク抑圧用信号を生成するようにしてもよい。このようにすれば、変調信号の電力が小さい周波数帯域ほどピーク抑圧用信号の電力を大きく、変調信号の電力が大きい周波数帯域ほどピーク抑圧用信号の電力を小さくすることができるので、ピーク抑圧用信号が付加されることによって生じる信号歪みを低減しつつ、ピーク電力を抑圧することが可能となる。
【００３４】
なお、変調信号の電力に代えて、パルスシェーピングフィルタ部１２０のフィルタ特性のゲインが小さい周波数帯域ほど、ピーク抑圧用信号の電力が大きくなるようにピーク抑圧用信号を生成するようにしてもよい。フィルタ特性情報とはフィルタの周波数特性に関する情報をいい、通過帯域と各周波数成分における通過ゲインとが対応付けられた情報で、パルスシェーピングフィルタ部１２０からピーク抑圧用信号生成部１５０へ出力される。すなわち、フィルタ特性のゲインが小さい周波数帯域ほど、変調信号の電力が小さくなるため、フィルタ特性のゲインが小さい周波数帯域ほど、ピーク抑圧用信号の電力が大きくなるようにピーク抑圧用信号を生成する場合には、ピーク抑圧用信号が付加されることによって生じる信号歪みを低減しつつ、ピーク電力を抑圧することが可能となる。
【００３５】
さらに、ピーク抑圧用信号生成部１５０が、フィルタ特性情報とサブキャリアマッピング情報とスペクトラムエミッションマスク（送信信号の電力規定）とに基づいてピーク抑圧用信号を生成するようにしてもよい。具体的には、ピーク抑圧用信号生成部１５０が、フィルタ特性のゲインとスペクトラムエミッションマスクのゲインとのマージンが大きい周波数成分を、優先的にピーク抑圧用信号の周波数成分として用いてピーク抑圧用信号を生成する。すなわち、パルスシェーピングフィルタ部１２０によってシェーピングされた周波数領域信号の信号電力とスペクトラムエミッションマスクとのマージンが大きい周波数帯域ほど、ピーク抑圧用信号電力が大きくなるようなピーク抑圧用信号が生成され、マージンが小さい周波数帯域にはピーク抑圧用信号電力が小さいピーク抑圧用信号が生成されるので、スペクトラムエミッションマスクによって、信号成分とピーク抑圧成分とが抑圧される割合が減り、信号歪みを低減しつつ、確実にピーク電力を抑圧することができる。
【００３６】
また、ピーク抑圧用信号生成部１５０が、通信相手の受信装置から通知される伝搬状況を取得し、当該伝搬状況に基づいてピーク抑圧用信号を生成するようにしてもよい。具体的には、ピーク抑圧用信号生成部１５０が、伝搬状況が悪い周波数帯域ほどピーク抑圧用信号電力が大きくなるようなピーク抑圧用信号を生成するようにする。伝搬状況が悪い周波数帯域では、変調信号の電力がすでに劣化している可能性が高いため、ピーク抑圧用信号を重畳したことが原因となって信号歪みが新たに発生する割合を低減することができる。
【００３７】
本発明の送信装置の一つの態様は、周波数軸上の信号の信号帯域に冗長帯域を付加するパルスシェーピングフィルタリング手段と、前記信号帯域および前記冗長帯域の信号を複数の周波数帯域に再配置するマッピング手段と、再配置された信号を時間軸上の信号に変換することにより変調信号を取得する周波数−時間変換手段と、前記冗長帯域の信号が再配置された周波数帯域ほど電力が大きいピーク抑圧用信号を生成するピーク抑圧用信号生成手段と、前記変調信号に前記ピーク抑圧用信号を重畳するピーク抑圧手段と、を具備する構成を採る。
【００３８】
この構成によれば、信号帯域に冗長帯域を付加することにより信号帯域が広がりＰＡＰＲを低減することができるとともに、冗長帯域が再配置された周波数帯域に、優先的にピーク抑圧用信号を重畳することができるため、変調信号の信号成分にピーク抑圧用信号の信号成分が重畳される割合が減って、信号歪みを低減することができるようになる。
【００３９】
本発明の送信装置の一つの態様は、前記周波数軸上の信号を、時間軸上の信号に対しフーリエ変換を施すことにより取得する時間−周波数変換手段、をさらに具備する構成を採る。
【００４０】
この構成によれば、ＤＦＴ−Ｓｐｒｅａｄ−ＯＦＤＭ信号に対し、ＰＡＰＲを低減することができるとともに、信号歪みを低減することができるようになる。
【００４１】
本発明の送信装置の一つの態様は、前記ピーク抑圧用信号生成手段は、前記信号帯域が再配置された帯域における前記ピーク抑圧用信号の電力と、前記冗長帯域が再配置された帯域における前記ピーク抑圧用信号の電力との比を所定の値とする構成を採る。
【００４２】
この構成によれば、信号帯域が再配置された帯域におけるピーク抑圧用信号の電力に対し、冗長帯域が再配置された帯域におけるピーク抑圧用信号の電力の比を大きくすればするほど、変調信号の信号成分にピーク抑圧用信号の信号成分が重畳される割合が減って、信号歪みを確実に低減することができるようになる。
【００４３】
本発明の送信装置の一つの態様は、前記ピーク抑圧用信号生成手段は、前記変調信号の電力が小さい周波数帯域ほど、前記ピーク抑圧用信号の電力を大きくする構成を採る。
【００４４】
この構成によれば、変調信号の電力が小さい周波数帯域ほど、ピーク抑圧用信号の電力を大きくすることができるため、変調信号の信号成分にピーク抑圧用信号の信号成分が重畳される割合が減って、信号歪みを低減することができるようになる。
【００４５】
本発明の送信装置の一つの態様は、前記ピーク抑圧用信号生成手段は、前記変調信号の電力と、スペクトラムエミッションマスクとのマージンが大きい周波数帯域ほど、前記ピーク抑圧用信号の電力を大きくする構成を採る。
【００４６】
この構成によれば、周波数ごとに送信電力の上限値がスペクトラムエミッションマスクにより規定されている場合に、冗長帯域が再配置された周波数帯域のうち、当該上限値と信号電力との差であるマージンが大きい周波数帯域ほど、優先的にピーク抑圧用信号を重畳することができるので、スペクトラムエミッションによって信号成分とピーク抑圧成分とが抑圧される割合が減り、信号歪みを低減しつつ、確実にピーク抑圧をすることができる。
【００４７】
本発明の送信装置の一つの態様は、伝搬状況に関する情報を取得する取得手段、をさらに具備し、前記ピーク抑圧用信号生成手段は、前記伝搬状況が悪い周波数帯域ほど、前記ピーク抑圧用信号の電力を大きくする構成を採る。
【００４８】
この構成によれば、変調信号の電力が劣化している可能性が高い伝搬状況が悪い周波数帯域ほど、優先的にピーク抑圧用信号を重畳することができるので、ピーク抑圧用信号を重畳したことが原因となって信号歪みが新たに発生する割合を低減することができる。
【産業上の利用可能性】
【００４９】
本発明の送信装置およびピーク抑圧方法は、複数の周波数帯域が用いられ変調信号が送信される場合において、当該変調信号の信号歪みを抑えつつ、ＰＡＰＲを低減することがで、例えば、マルチキャリア伝送やシングルキャリア伝送が適用されるシステムにおいてピーク抑圧する送信装置およびピーク抑圧方法に有用である。
【図面の簡単な説明】
【００５０】
【図１】本発明の実施の形態に係る送信装置の要部構成を示すブロック図
【図２】上記実施の形態に係るパルスシェーピングフィルタ部のフィルタ特性を示す図
【図３】上記実施の形態における各部から出力される信号の周波数特性を示す図
【図４】上記実施の形態に係るピーク抑圧用信号の周波数特性を示す図
【符号の説明】
【００５１】
１１０  時間−周波数変換部
１１１  Ｓ／Ｐ変換部
１１２  ＤＦＴ部
１２０  パルスシェーピングフィルタ部
１３０  マッピング部
１３１  サブキャリアマッピング制御部
１３２  サブキャリアマッピング部
１４０  周波数−時間変換部
１４１  ＩＦＦＴ部
１４２  Ｐ／Ｓ変換部
１５０  ピーク抑圧用信号生成部
１６０  ピーク抑圧部
１７０  無線処理部
１７１  ＣＰ付加部
１７２  ＴｉｍｅＷｉｎｄｏｗｉｎｇ処理部
１７３  無線送信部
【図１】
2008078944.tif 000003
【図２】
2008078944.tif 000004
【図３】
2008078944.tif 000005
【図４】
2008078944.tif 000006